(57)【要約】【課題】審美的な面を気にすることなく、また、会話時に円滑な発音が行なえ、良好な装着性を確保し、長期間の装着を可能にすることのできる矯正歯科用リテーナーを提供することを課題とする。【解決手段】上顎Ａ若しくは下顎の全歯列Ｔを取り囲んで装着され、かつ、内面が、前記全歯列Ｔの表面および裏面において、これらの歯頸部Ｔ１・Ｔ２を挟んだ上下に所定幅Ｈをもって密着させられることにより、各歯の歯冠Ｔ３の一部に表裏面から維持力を負荷するようになされている。【選択図】図２
2014195531.tif 000002
【特許請求の範囲】
【請求項１】
歯列矯正治療後の歯列に装着されて、歯列の矯正位置を保持するために用いられる矯正歯科用リテーナーであって、上顎若しくは下顎の全歯列を取り囲んで装着され、かつ、内面が、前記全歯列の表面および裏面において、これらの歯頸部を挟んだ上下に所定幅をもって密着させられることにより、前記各歯の歯冠の一部に表裏面から拘束力を負荷するようになされていることを特徴とする矯正歯科用リテーナー。
【請求項２】
前記歯冠との密着幅が、前記歯頸から、前記歯冠の高さの１／２以下に設定されていることを特徴とする請求項１に記載の矯正歯科用リテーナー。
【請求項３】
前記矯正歯科用リテーナーが、樹脂成形品であることを特徴とする請求項１または請求項２に記載の矯正歯科用リテーナー。
【発明の詳細な説明】
【技術分野】
【０００１】
本発明は、歯列矯正治療後の歯列に装着されて、歯列、幅径の維持、咬合の安定を保持、後戻りの防止をするために用いられる矯正歯科用リテーナーに関するものである。
【背景技術】
【０００２】
従来、歯列矯正治療にあっては、矯正装置によって歯を適正な位置に移動させて不正な歯列を矯正し、治療後は前記矯正装置を取り外さなければならない。装置を外す事でそれまで装置によって固定されていた歯列、幅径、咬合が、治療前の位置に近づこうとするため（矯正された歯が元の位置に戻る傾向があるため）、不安定になる。
【０００３】
このために、治療後の歯列に矯正歯科用リテーナーを装着して、この矯正歯科用リテーナーにより、前記矯正装置に代わって、歯列矯正された歯を歯列矯正治療後の位置に保持することが行なわれている（特許文献１参照）。
【０００４】
そして、前述した矯正歯科用リテーナーは、前記歯列矯正された歯の位置が安定するまでの期間、継続して装着しなければならない。
【先行技術文献】
【特許文献】
【０００５】
【特許文献１】特開２００３−３８５２０号公報
【発明の概要】
【発明が解決しようとする課題】
【０００６】
前述した従来の矯正歯科リテーナーは、歯列の表側をワイヤーによって抑え、歯列の内側をレジンで形成されたプレートによって抑える構成となっている。
【０００７】
ところで、矯正歯科リテーナーは、矯正治療後の歯列の安定、後戻り防止を目的としており、そのために、常時装着しておくことが必要であるが、前述した従来の構成の矯正歯科リテーナーであると、その装着率が低い傾向が見られる。
【０００８】
その理由として挙げられるのは、歯列の表面にワイヤーが位置しており、また、このワイヤーが、前記歯列の歯冠の約中央に位置していることから、たとえば会話の際に前記ワイヤーが露出してしまい、審美的に良い印象を与えない点である。
【０００９】
また、歯列と唇との間にワイヤーが介在するために、発音しづらいといった点や、装着感が悪いといった点も指摘されている。また、口蓋側のレジンは、発音時に舌にあたり発音しづらくするだけでなく、嘔吐反射を引き起こす原因にもなる。
【００１０】
本発明は、このような従来の技術において残されている問題点に鑑み、審美的な面を気にすることなく、また、会話時に円滑な発音が行なえ、良好な装着性を確保することで長時間の装着ができる矯正歯科用リテーナーを提供することを解決課題とする。
【課題を解決するための手段】
【００１１】
本発明の請求項１に記載の矯正歯科用リテーナーは、前述した課題を解決するために、歯列矯正治療後の歯列に装着されて、歯列矯正治療後の歯の位置を保持するために用いられる矯正歯科用リテーナーであって、上顎若しくは下顎の全歯列を取り囲んで装着され、かつ、内面が、前記全歯列の表面および裏面において、これらの歯頸部を挟んだ上下に所定幅をもって密着させられることにより、前記各歯の歯冠の一部に表裏面から拘束力を負荷するようになされていることを特徴とする。
【００１２】
請求項１に記載の矯正歯科用リテーナーによれば、この矯正歯科用リテーナーを歯列の各歯の歯頸部近傍に位置させることにより、装着位置をより歯茎に近づけて、発音時等における露出を最小限度に止めることができ、審美的な面が損なわれることを抑制することができる。
【００１３】
また、歯頸近傍を拘束するものであり、この歯頸近傍が唇内側の根元に近い位置であることから、この唇の動きを阻害することが少なく、これによって発音が円滑に行なえる。
【００１４】
同時に、歯肉との一体感が得られ、これによって装着時の違和感が緩和されることと相まって、長期間の装着を可能にする。
【００１５】
本発明の請求項２に記載の矯正歯科用リテーナーは、請求項１に記載の前記歯冠との密着幅が、前記歯頸から、前記歯冠の高さの１／２以下に設定されていることを特徴とする。
【００１６】
このような構成とすることにより、発音時等における露出を効果的に抑制し、かつ、装着時の違和感の抑制効果をより一層高めることができる。
【００１７】
本発明の請求項３に記載の矯正歯科用リテーナーは、請求項１または請求項２に記載の前記矯正歯科用リテーナーが、樹脂の成形品であることを特徴とする。
【００１８】
このような構成とすることにより、矯正歯科用リテーナーに適度の弾性を持たせることが可能となり、これによって、脱着を容易にするとともに、その脱着に伴う変形、たとえば、緩みの発生等を抑制することができる。
【００１９】
また、前記レジンを、たとえば、透明、着色透明、あるいは歯肉に近い色とすることにより、矯正歯科用リテーナーを目立たなくしてより審美性を高めることができる。
【発明の効果】
【００２０】
本発明によれば、審美的な面を気にすることなく、また、会話時に円滑な発音が行なえ、良好な装着性を確保することのできる矯正歯科用リテーナーを提供することができる。
【図面の簡単な説明】
【００２１】
【図１】本発明の一実施形態の平面図である。
【図２】本発明の一実施形態を示すもので、上顎の歯列に装着した状態の要部の縦断面図である。
【図３】本発明の一実施形態を示すもので、上顎の歯列に装着した状態を下方から見た図である。
【図４】本発明の一実施形態を示すもので、上顎の歯列に装着した状態を正面から見た図である。
【図５】本発明の一実施形態を示すもので、上顎の歯列に装着した状態を側方から見た図である。
【図６】本発明の一実施形態を示すもので、上顎の歯列に装着した口回りの状態を正面から見た図である。
【発明を実施するための形態】
【００２２】
以下、本発明の一実施形態を、図面を参照して説明する。
これらの図において符号１で示す本実施形態に係わる矯正歯科用リテーナー（以下、リテーナーと略称する）は、上顎Ａ（図３ないし図５参照）に適用したものである。このリテーナー１は、上顎Ａの全歯列Ｔを取り囲んで装着され、かつ、内面１ａが、前記全歯列Ｔの表面および裏面において、これらの歯頸部Ｔ１・Ｔ２を挟んだ上下に所定幅Ｈをもって密着させられることにより、図２に示すように、前記各歯の歯冠Ｔ３の一部に表裏面から拘束力を負荷するようになされている。
【００２３】
本実施形態においては、前記リテーナー１と前記各歯冠Ｔ３との密着幅が、前記歯頸Ｔ１から、前記歯冠Ｔ３の高さの約３分の１に設定されている。
このリテーナー１と各歯冠Ｔ３との密着幅は、歯冠Ｔ３の高さの１／１０から１／２の範囲とすることができ、好ましくは１／５から１／２とすることができ、より好ましくは１／４から１／３とすることができる。
また、このリテーナー１と各歯冠Ｔ３との密着幅は、審美性に配慮した場合、歯冠Ｔ３の高さの１／２以下とすることが望ましい。また、この密着幅は、歯冠Ｔ３の拘束力に配慮した場合、歯冠Ｔ３の高さの１／１０以上とすることが望ましい。
【００２４】
また、本実施形態においては、前記リテーナー１が、ポリエステル樹脂を成形することによって形成されている。本実施形態において、ポリエステル樹脂は、審美的義歯床用材料として用いられているものを用いている。このポリエステル樹脂は、リテーナー１として成形した状態において適度な弾力性を有しているからである。
なお、樹脂としては、ポリエステル系樹脂以外にも、ポリアミド系、ポリカーボネート系、アクリル系、ポリアルキレン樹脂など、義歯床の材料として用いられているものを適宜選択して用いることが可能である。
【００２５】
本実施形態に係わるリテーナー１は、歯列矯正治療後の歯列Ｔを型取りして作業用模型を制作し、この作業用模型を内型としてその回りに外型を被せ、これらの内型と外型の隙間にポリエステル樹脂を注入することによって形成される。
【００２６】
あるいは、硬化前のポリエステル樹脂を前記義歯の回りに押し付けて外観を整えた後、硬化させることによって射出形成される。
【００２７】
このようにして形成されたリテーナー１の内面１ａは、前記歯列Ｔの表裏面で、前記歯頸部Ｔ１・Ｔ２を挟んだ上下に所定幅の範囲で、前記歯列Ｔの表裏面の形状と同一の形状となされる。
【００２８】
そして、前記成形されたリテーナー１は、治療後の歯列に、その適度な弾性を利用して、前記歯列Ｔおよび歯肉の側面を取り囲むようにして装着され、装着後においては、その内面が前記歯列Ｔの全歯の表裏の歯頸部Ｔ１・Ｔ２を挟んだ所定幅Ｈの範囲で、前記歯冠Ｔ３および歯肉に密着させられる。
【００２９】
この状態において、前記歯列Ｔにリテーナーの維持力が作用して、この歯列Ｔが歯列矯正治療後の位置に保定される。
【００３０】
また、前記リテーナー１と前記歯列Ｔとが、その内外面において密着されていることにより、前記歯列Ｔのアンダーカット部との係合状態が生成され、さらに、腔内粘膜との粘着力が生じることにより、前記リテーナー１が、その装着位置に定着させられる。
【００３１】
そして、装着後においては、その装着位置が歯茎の近くであることから、発音時等における露出を、図６に示すように、最小限度に止めることができ、審美的な面が損なわれることを抑制することができる。
【００３２】
また、歯頸Ｔ１・Ｔ２近傍を拘束するものであり、この歯頸Ｔ１・Ｔ２近傍が唇内側の根元に近い位置であることから、この唇や舌の動きを阻害することが少なく、これによって発音が円滑に行なえる。
【００３３】
同時に、歯肉との一体感が得られ、これによって装着時の違和感が緩和されることと相まって、長期間の装着を可能にする。
【００３４】
そして、前記リテーナー１の形成材料のレジンを透明や着色透明とするか、あるいは、歯肉に近い色とすることにより、より一層目立たなくすることができる。
【符号の説明】
【００３５】
１  （矯正歯科）リテーナー
１ａ  内面
Ａ  上顎
Ｂ  歯槽骨
Ｈ  （密着）幅
Ｔ  歯列
Ｔ１  歯頸部
Ｔ２  歯頸部
Ｔ３  歯冠
Ｔ４  歯根
【図１】
2014195531.tif 000003
【図２】
2014195531.tif 000004
【図３】
2014195531.tif 000005
【図４】
2014195531.tif 000006
【図５】
2014195531.tif 000007
【図６】
2014195531.tif 000008